(57)【特許請求の範囲】
【請求項１】
ベッドと、ベッド上に装備される主軸台と、ベッド上に配設されるリニアガイドレールと、ガイドレールにより案内される刃物台を有するキャリッジと、リニアガイドレールにより案内されるテールストックと、キャリッジを駆動する手段を備え、テールストックは、リニアガイドレールに係合されるリニアガイドブロックと、テールストックを昇降させる油圧装置と、リニアガイドレール上に当接される面を有し、テールストックの移動時には、リニアガイドブロックのみでリニアガイドレールにより案内され、
刃物台には先端に係合部を備え伸縮操作させるアームを有し、テールストックにはピンが立設され、テールストックの移動時に、刃物台のアームが伸長して、刃物台のアームの係合部がテールストックのピンに係合することにより、刃物台を移動させたとき、テールストックも移動させることが可能なテールストックを備えた旋盤。
【請求項２】
ベッドと、ベッド上に装備される主軸台と、ベッド上に配設されるリニアガイドレールと、ガイドレールにより案内される刃物台を有するキャリッジと、リニアガイドレールにより案内されるテールストックと、キャリッジを駆動する手段を備え、テールストックは、リニアガイドレールに係合されるリニアガイドブロックと、テールストックを昇降させる油圧装置と、リニアガイドレール上に当接される面を有し、テールストックのクランプは、テールストック下部のベース内に設けられた油圧シリンダ室の下部に油圧を供給することにより、油圧シリンダ内に挿入されている油圧ピストンが引き上げられ、テールストックが降下し、テールストックのベースの下面がリニアガイドレールの上面に圧接されることによりなされるテールストックを備えた旋盤。
【請求項３】
テールストックのクランプ時には、油圧装置によるクランプ力は、リニアガイドブロックの上に設けられたバネによりリニアガイドフロックに伝達されない請求項２に記載のテールストックを備えた旋盤。
【発明の詳細な説明】
【０００１】
【発明の属する技術分野】
本発明は、ＮＣ旋盤に関し、特に改良されたテールストックを備えた旋盤に関する。
【０００２】
【従来の技術】
一般の旋盤は、ベッド上に固定される主軸台と、ベッド上に配設されるガイドレールにより案内される刃物台を有するキャリッジと、ガイドレールにより案内される芯押スピンドルを有するテールストックとを備える。
キャリッジは、ボールねじによって駆動と位置制御がなされる。
ボールねじにより駆動することによって、キャリッジの作動の応答性が向上し、高速化が達成される。
【０００３】
【発明が解決しようとする課題】
テールストックに直動ボールベアリングブロックや直動ローラベアリングブロック等の直動案内装置を装備することによって、移動の高速化を達成することができる。
例えば、特開平１１−９０７０４号公報は、本出願によるテールストックの移動装置として、リニアガイド装置を備えたものを開示している。
テールストックは、芯押し工程に使用される際には、リニアガイドレールに強力にクランプされる必要がある。このクランプ力が、リニアガイド装置に直接に作用されると、リニアガイド装置に損傷等の不具合が発生する。
そこで本発明は、上述した不具合を解消するテールストックを備えた旋盤を提供するものである。
【０００４】
【課題を解決するための手段】
本発明の旋盤は、ベッドと、ベッド上に装備される主軸台と、ベッド上に配設されるリニアガイドレールと、ガイドレールにより案内される刃物台を有するキャリッジと、リニアガイドレールにより案内されるテールストックと、キャリッジを駆動する手段を備え、テールストックは、リニアガイドレールに係合されるリニアガイドブロックと、テールストックを昇降させる油圧装置と、リニアガイドレール上に当接される面を有し、テールストックの移動時には、リニアガイドブロックのみでリニアガイドレールにより案内され、刃物台には先端に係合部を備え伸縮操作させるアームを有し、テールストックにはピンが立設され、テールストックの移動時に、刃物台のアームが伸長して、刃物台のアームの係合部がテールストックのピンに係合することにより、刃物台を移動させたとき、テールストックも移動させることが可能なテールストックを備える。
【０００５】
また、テールストックは、リニアガイドレールに係合されるリニアガイドブロックと、テールストックを昇降させる油圧装置と、リニアガイドレール上に当接される面を有し、テールストックのクランプは、テールストック下部のベース内に設けられた油圧シリンダ室の下部に油圧を供給することにより、油圧シリンダ内に挿入されている油圧ピストンが引き上げられ、テールストックが降下し、テールストックのベースの下面がリニアガイドレールの上面に圧接されることによりなされる構成を有する。
【０００６】
そして、テールストックのクランプ時には、油圧装置によるクランプ力は、リニアガイドブロックの上に設けられたバネによりリニアガイドフロックに伝達されないものである。
【０００７】
【発明の実施の形態】
図１は、本発明を実施するＮＣ（数値制御）旋盤の全体構成を示す斜視図、図２は、図１のＡ−Ａ矢視図である。
全体を符号１で示すＮＣ旋盤は、ベッド１０上に固定される主軸台２０を有し、主軸台２０は回軸および割り出しが可能な主軸２２を備える。
ベッド１０上には、２本のリニアガイドレール（案内面）１１０、１１０及びボールねじ１５０が配設してあり、この２本のリニアガイドレール１１０、１１０に案内されるキャリッジ（往復台）４０及びテールストック（芯押台）６０が搭載される。
【０００８】
図２において、キャリッジ４０は、ベッド１０上に配設されたリニアガイドレール１１０、１１０に嵌合されるリニアボールベアリングブロック４１０、４２０を有する。キャリッジ４０に取り付けられるボールナット４４は、ベッド１０上に配設されるボールねじ１５０に螺合し、キャリッジ４０は、ボールねじ１５０の回転量に応じてリニアガイドレール１１０、１１０上を主軸の軸線方向であるＺ軸に沿って移動する。
【０００９】
キャリッジ４０上には、ガイドレール４３０が設けてあり、このガイドレール４３０上に刃物台５０が搭載される。刃物台は、例えばタレット型の刃物ヘッド５２を有し、刃物ヘッド５２は中心軸Ｃ２を中心として割り出される。刃物台５０は公知の態様により、主軸の回転軸Ｃ１と刃物ヘッド５２の中心軸Ｃ２を含む平面内でＺ軸に直交するＸ軸に沿って移動・制御される。
キャリッジ４０に装備されるリニアボールベアリングブロック４１０，４２０は内部に循環動するボールを備え、リニアガイドレール１１０、１１０上をコロガリ運動（転動）により案内される。コロガリ運動のために、移動速度を高速化及び高い追従性を確保することができる。
【００１０】
図３は、テールストック６０の駆動機構の一例を示す説明図である。
刃物台５０は、伸縮操作させるアーム５１０を有し、アーム５１０の先端には、係合部５１２を備える。アーム５１０にはドック５２０が併設されている。テールストック６０には、リニアガイドブロック６４０を有し、後述する態様により、リニアガイドレール上を案内される。
テールストック６０の上部にはピン６２０が立設されている。テールストック６０の移動時には、刃物台５０のアーム５１０が伸長して、係合部が、ピン６２０に係合する。アーム５１０に取り付けたドック６２０がアームストック側のリミットスイッチ６２２を押すことにより、刃物台５０のアーム５１０が、テールストック６０のピン６２０に係合したことが確認される。
この状態で刃物台５０をＺ方向に移動させることで、テールストック６０をＺ方向に移動させることができる。
【００１１】
図４は、本発明のテールストックの構造の要部を示す側面図、図５は図４の左側面図である。
本発明のテールストック６０は、ベース６２とベース６２上に装備されるスピンドル７０とライブセンタ７２等を有する。そして、ベース６２内に油圧シリンダ室６３０を有する。油圧シリンダ室６３０内には、油圧ピストン６３２が挿入されていて、油圧ピストン６３２の先端部はクランパー６３４に係合している。リニアガイドブロック６４０は、リニアガイドレール１１０を把持した状態でリニアガイドレール１１０上を転動する。
【００１２】
図４、図５の状態にあっては、油圧シリンダ室６３０の上部に油圧が供給されており、油圧ピストン６３２はテールストック６０のベース６２から突出する方向に付勢されている。
油圧ピストン６３２の先端部のクランパー６３４はベッドルとは接触していない。
この状態にあっては、テールストック６０は、リニアガイドブロック６４０の上部のバネ６５０によってベース６２の下面６２４はリニアガイドレール１１０とは接触していない状態となる。
この状態で刃物台５０をテールストック６０に係合し、刃物台を移動制御することによって、テールストックを高速で移動させることができる。
【００１３】
図６、図７は、テールストック６０をリニアガイドルーム１１０上に固定する操作を示す。
油圧シリンダ室６３０の下部に油圧を供給し、油圧シリンダ６３２を矢印Ｆ１方向へ引き上げる。テールストック６０は降下し、ベース６２の下面６２４がリニアガイドレール１１０の上面１１２に当接する。油圧ピストン６３２の先端部のクランパー６３４は、ベッドルの内側面１１４に当接する。
【００１４】
この状態で油圧ピストン６３２の油圧力によりテールストック６０は、矢印Ｆ２の方向に付勢され、ベース６２の下面６２４がリニアガイドレール１１０の上面１１２に圧接され、固定される。
この状態にあたっては、リニアガイドブロック６４０には、バネ６５０の圧縮による反力のみ負荷され、油圧による負荷は伝達されない。
したがって、テールを固定する油圧力を強大にしてもリニアガイドブロック６４０内の転動ボールは、リニアガイドレール１１０に対して過荷重を受けることはなく、損傷等も発生しない。
【００１５】
【発明の効果】
本発明は以上のように、高速化が望まれる工作機械のテールストックをリニアガイド装置により移動する構成として、テールストックの移動の高速化を達成する。
テールストックは、固定時にはワークを確実に支持する必要があり、充分な力でリニアガイドレール上にクランプする必要がある。
このテールストックにいたっては、油圧機構を用いて、テールストックをリニアガイドレール上に確実にクランプする。クランプ時には、テールストックとリニアガイドブロックは切り離され、リニアガイドブロックには、クランプ力はかからず、バネの圧力による反力のみが負荷としてかかる。したがって、リニアガイド機構も保護される。
【図面の簡単な説明】
【図１】本発明を実施する旋盤の斜視図。
【図２】図１のＡ−Ａ矢視図。
【図３】テールストックの駆動機構を示す説明図。
【図４】テールストックの要部を示す側面図。
【図５】図４の左側面図。
【図６】テールストックを固定する様子を示す説明図。
【図７】テールストックを固定する様子を示す説明図。
【符号の説明】
１  ＮＣ旋盤
１０  ベッド
２０  主軸台
４０  キャリッジ
５０  刃物台
６０  テールストック
６２  ベース
１１０  リニアガイドレール
６３０  油圧シリンダ室
６３２  油圧ピストル
６４０  シニアガイドブロック
６５０  ストッパ部材
【図１】
0003943357.tif 000002
【図２】
0003943357.tif 000003
【図３】
0003943357.tif 000004
【図４】
0003943357.tif 000005
【図５】
0003943357.tif 000006
【図６】
0003943357.tif 000007
【図７】
0003943357.tif 000008